(57)【要約】【課題】望ましくない非信号光であるクラッドモードを除去し、かつ長期間使用してもクラッドモードを除去可能なファイバスタブ提供する。【解決手段】コア部３ａ、および該コア部３ａの外周面に配されたクラッド部３ｂを有する光ファイバ３と、貫通孔内に光ファイバ３が設けられたフェルール２と、を備えてなるファイバスタブ１であって、光ファイバ３は、クラッド部３ｂの一部に設けられた溝部４内に、クラッド部３ｂ内を伝送する光を減衰させるための光減衰部５が形成され、かつ光減衰部５がフェルール２の両端面よりも内側に配置されている。【選択図】図２
2008033015.tif 000002
【特許請求の範囲】
【請求項１】
コア部、および該コア部の外周面に配されたクラッド部を有する光ファイバと、
貫通孔内に前記光ファイバが設けられたフェルールと、を備えてなるファイバスタブであって、
前記光ファイバは、前記クラッド部内に、前記クラッド部内を伝送する光を減衰させるための光減衰部が設けられ、かつ前記光減衰部が前記フェルールの両端面よりも内側に配置されていることを特徴とするファイバスタブ。
【請求項２】
前記光減衰部は、前記コア部の周方向に沿って形成されていることを特徴とする請求項１に記載のファイバスタブ。
【請求項３】
前記光減衰部は、前記クラッド部の一部に形成された溝部に設けられていることを特徴とする請求項１または２に記載のファイバスタブ。
【請求項４】
前記溝部は、前記光ファイバの軸方向に対して傾斜する側面を有していることを特徴とする請求項３に記載のファイバスタブ。
【請求項５】
前記溝部の一側面に、前記クラッド部を伝送して前記溝部の他側面から出射された光が反射する反射部を設けたことを特徴とする請求項３または４に記載のファイバスタブ。
【請求項６】
前記溝部は、開口部から底面部に向かって面積が小さくなる形状であることを特徴とする請求項３〜５のいずれかに記載のファイバスタブ。
【請求項７】
請求項１〜６のいずれかに記載のファイバスタブと、
一端側から挿入された前記ファイバスタブの先端部を固定するとともに、他端側から前記ファイバスタブの光ファイバと光学的に接続される光ファイバを有するプラグが挿入されるスリーブと、
前記ファイバスタブの後端部を保持するホルダと、を備えた光レセプタクル。
【請求項８】
請求項７に記載の光レセプタクルと、
前記ファイバスタブの光ファイバに向けて光を出射する、または、前記ファイバスタブの光ファイバを介して導出された光を受けるための光素子と、前記光レセプタクルと接合され、かつ前記光素子を収容する筺体と、を備えた光モジュール。
【発明の詳細な説明】
【技術分野】
【０００１】
本発明は、ファイバスタブとそれを用いた光レセプタクルと光モジュールに関するものである。
【背景技術】
【０００２】
光信号を電気信号に変換するための光モジュールは、半導体レーザやフォトダイオード等の光素子をケース内に収納し、光ファイバを通じて光信号を導入又は導出するような構造となっている（たとえば、特許文献１参照）。
【０００３】
上記光モジュールのうちコネクタを接続するようにしたレセプタクル型の光モジュール３０は、図６に示すような光レセプタクル２０の一端にＬＤ等の光素子３１を備えるとともに、他端に光コネクタ（ＳＣコネクタ等）のプラグ５０を接続するものである。
【０００４】
光レセプタクル２０は、ジルコニア、アルミナ等のセラミック材料からなるフェルール２１と、フェルール２１の貫通孔に石英ガラス等で構成されたコア部２２ａおよびクラッド部２２ｂからなる光ファイバ２２を挿入固定して得られたファイバスタブ２３の後端側をホルダ２４に圧入により固定し、先端側をスリーブ２５の一方開放端部の内孔に挿入して把持する。そして、それをスリーブケース２６に圧入又は接着固定することによって構成されている。
【０００５】
さらに、この光レセプタクル２０を用いてなる光モジュール３０は、光レセプタクル２０に設けたファイバスタブ２３の後端部側に、上述した光素子３１にレンズ３２を備えたケース３３を溶接により接合することによって構成される。そして、この光モジュール３０は、スリーブ２５の他方の開放端部からプラグ５０が挿入され、ファイバスタブ２３の端面（光ファイバ２２の端面）に当接させることにより、光信号の授受を行うことができる。
【０００６】
一般に、光ファイバは、中心部にコア部、該コア部の外周にコアよりも屈折率の小さいクラッド部を有し、コア部に入射される光をコア部とクラッド部との屈折率差によって全反射させて、光を伝送するものである。しかしながら、本来、光は光ファイバのコア部に入射されるが、クラッド部に一部の光が漏れる場合がある。そして、このクラッド部に入射されてクラッド部を伝送する光はクラッドモードと呼ばれる。このクラッドモードは、光の出力を変動させる要因となるため、安定した光の伝送に対して弊害となっていた。
【０００７】
そこで、クラッドモードを除去するために、図７に示すように、コア部２２ａとクラッド部２２ｂとを有する光ファイバ２２がフェルール２１に挿入されてなるファイバスタブ２３を備え、プラグ５０が当接する側のファイバスタブ２３の先端面におけるクラッド部２２ｂの一部を円錐状に除去し、その除去部に光減衰材２７を固定してなる光レセプタクル２０が提案されている（たとえば、特許文献２参照）。この光レセプタクル２０では、クラッド部２２ｂを伝送するクラッドモードの光を光減衰材２７で除去することにより、プラグ５０もしくは光素子３１にクラッドモードが伝送されるのを防いでいた。
【特許文献１】特開２００１−６６４６８号公報
【特許文献２】特開平１１−１９４２３８号公報
【発明の開示】
【発明が解決しようとする課題】
【０００８】
しかしながら、図７で示した従来の光レセプタクル２０では、ファイバスタブ２３の先端側に光減衰材２７が設けられた構造であることから、プラグ５０を繰返し脱着すると、プラグ５０の先端面が光減衰材２７に衝突するため、樹脂等からなる光減衰材２７に剥がれが生じ、プラグ５０もしくはファイバスタブ２３の光ファイバの端面に光減衰材２７の剥離物質が付着し、光学性能を劣化させるという問題が生じていた。さらに、この光レセプタクル２０では、長期間使用すると、上述したプラグ５０の衝突によって光減衰材２７が脱落し、クラッドモードを除去できなくなる場合があった。
【課題を解決するための手段】
【０００９】
上記課題を鑑みて、本発明は、コア部、および該コア部の外周面に配されたクラッド部を有する光ファイバと、貫通孔内に前記光ファイバが設けられたフェルールと、を備えてなるファイバスタブであって、前記光ファイバは、前記クラッド部内に、前記クラッド部内を伝送する光を減衰させるための光減衰部が設けられ、かつ前記光減衰部が前記フェルールの両端面よりも内側に配置されていることを特徴とする。
【００１０】
さらに、本発明において、前記光減衰部は前記コア部の周方向に沿って形成されていることを特徴とする。
【００１１】
また、本発明において、前記光減衰部は前記クラッド部の一部に形成された溝部に設けられていることを特徴とする
さらに、本発明において、前記溝部は前記光ファイバの軸方向に対して傾斜する側面を有していることを特徴とする。
【００１２】
また、本発明においては、前記溝部の一側面に、前記クラッド部を伝送して前記溝部の他側面から出射された光が反射する反射部を設けたことを特徴とする。
【００１３】
さらに、本発明において、前記溝部は開口部から底面部に向かって面積が小さくなる形状であることを特徴とする。
【００１４】
本発明の光レセプタクルは、本発明のファイバスタブと、一端側から挿入された前記ファイバスタブの先端部を固定するとともに、他端側から前記ファイバスタブの光ファイバと光学的に接続される光ファイバを有するプラグが挿入されるスリーブと、前記ファイバスタブの後端部を保持するホルダと、を備えてなることを特徴とする。
【００１５】
本発明の光モジュールは、本発明の光レセプタクルと、前記ファイバスタブの光ファイバに向けて光を出射する、または、前記ファイバスタブの光ファイバを介して導出された光を受けるための光素子と、前記光レセプタクルと接合され、かつ前記光素子を収容する筺体と、を備えてなることを特徴とする。
【発明の効果】
【００１６】
本発明のファイバスタブによれば、フェルールの貫通孔内に設けられた光ファイバのクラッド部内に、クラッド部内を伝送する光を減衰させるための光減衰部を設けるとともに、該光減衰部がフェルールの両端面よりも内側に配置されていることにより、光減衰部をフェルールの両端面に露出することなくフェルールの内部に配置することができる。その結果、本発明のファイバスタブでは、外部からのプラグの先端面とファイバスタブの一端面とを当接させて、ファイバスタブおよびプラグが有する光ファイバ同士を接続しても、プラグの先端面と光減衰部が当接しないため、光減衰部の剥れや脱落を防止することができる。したがって、本発明のファイバスタブでは、長期間使用しても、光減衰部によってクラッドモードを効率よく減衰させて除去することができる。
【００１７】
また、光減衰部をコア部の周方向に沿って形成すれば、クラッドモードが光減衰部と接する面積を大きく確保できるため、クラッドモードを効率よく減衰させることが可能となる。
【００１８】
さらに、クラッド部の一部に溝部を形成し、該溝部に光ファイバの軸方向に対して傾斜する側面を設けることにより、溝部から出射されたクラッドモードが溝部の傾斜面で屈折して散乱されるため、クラッド部からクラッドモードを外部に放射することができる。
【００１９】
さらには、溝部の一側面に、クラッド部を伝送して溝部の他側面から出射された光（クラッドモード）が反射する反射部を設けることにより、クラッドモードを反射部で反射させて外部に放出することができるため、クラッドモードの除去効果を高めることができる。
【００２０】
また、溝部を開口部から底面部に向かって面積が小さくなる形状とすれば、コア部と接するクラッド部の面積を大きくできるため、光ファイバの強度の低下を抑制することができる。
【発明を実施するための最良の形態】
【００２１】
以下、本発明の実施の形態を図面に基づいて説明する。
【００２２】
図１は、本発明の一実施形態に係るファイバスタブ１を用いた光レセプタクルＸを備えてなる光モジュールＹの一実施形態を示す断面図であり、図２は本発明のファイバスタブ１を示す断面図である。
【００２３】
図２に示すように、本発明の一実施形態のファイバスタブ１は、コア部３ａ、および該コア部３ａの外周面に配されたクラッド部３ｂを有する光ファイバ３と、貫通孔内に光ファイバ３が設けられたフェルール２と、を備えてなる。
【００２４】
フェルール２は、貫通孔に挿入される光ファイバ３を保持する機能を有し、円筒体で構成されている。なお、フェルール２は、光ファイバ３を保持可能な貫通孔を有していれば特に形状は限定されず、たとえば貫通孔を有する角柱体であってもよい。フェルール２の先端部２ａは、光ファイバを有するプラグ１０との接続損失を低減させるために、曲率半径が５〜３０ｍｍ程度の曲面状に加工され、一方、フェルール２の後端部２ｂはＬＤ（レーザダイオード）等の光素子１１から出射された光信号が光ファイバ３の端面で反射して光素子に戻る反射光を防止するため４〜１０°程度の傾斜面に鏡面研磨されている。
【００２５】
また、フェルール２の材質は銅合金、ニッケル合金、もしくはステンレス等の金属、またはエポキシ樹脂、液晶ポリマー等のプラスチック、またはセラミックス等を使用することができる。このような材質において、フェルール２は、ジルコニアセラミックスで形成することが好ましい。具体的には、ＺｒＯ2を主成分とし、Ｙ2Ｏ3、ＣａＯ、ＭｇＯ、ＣｅＯ2、Ｄｙ2Ｏ3などの少なくとも一種を安定化剤として含み、正方晶の結晶を主体とする部分安定化ジルコニアセラミックスを用いることが好ましい。これは、このような部分安定化ジルコニアセラミックスが優れた耐摩耗性を有するとともに、適度な弾性変形機能を有するからである。
【００２６】
光ファイバ３は、屈折率が１．４６０〜１．４７５の円柱状のコア部３ａと、コア部３ａの外周を覆うように形成された屈折率が１．４６０〜１．４７５の円筒状のクラッド部３ｂからなり、コア部３ａとクラッド部３ｂの屈折率差による光の反射を利用して光を伝送する機能を有する。この光ファイバ３には、たとえばコア部３ａの径が５〜１２μｍ、クラッド部の径が７５〜３００μｍのシングルモードファイバ、またはコア部３ａの径が２０〜８０μｍ、クラッド部の径が７５〜３００μｍのマルチモードファイバを用いることができ、いずれも石英を主成分としたガラスで構成されている。そして、光ファイバ３は、フェルール２の貫通孔内に、たとえばエポキシ樹脂等の光学接着剤によって接着固定される。
【００２７】
さらに、光ファイバ３には、クラッド部３ｂの一部が除去されてなる溝部４が設けられている。そして、溝部４内には、主としてクラッド部３ｂ内を伝送するクラッドモードを減衰させるための光減衰部５が設けられている。この溝部４の大きさとしては、幅が０．０５〜１ｍｍ、深さが０．０２〜０．１５ｍｍである。
【００２８】
溝部４は、光ファイバ３の軸方向に対して傾斜する側面４ａ、４ａ’、および実質的にコア部３ａの表面部となる底面部４ｂ、および開口部４ｃで構成されている。この側面４ａ、４ａ’は、光ファイバ３の軸方向に対して２５°〜４５°の範囲で傾斜するように形成されている。このように、溝部４の側面４ａ、４ａ’を光ファイバ３の軸方向に対して傾斜する傾斜面とすれば、溝部から出射されたクラッドモードが溝部の傾斜面で屈折して散乱されるため、クラッド部からクラッドモードを外部に放射することも可能となる。
【００２９】
また、図３は、溝部４の形状に係る種々の形態を示すものであり、溝部４が形成されている部位の光ファイバ３において、光ファイバ３の軸方向に対して直交する面で断面視した図である。
【００３０】
図３（ａ）では、溝部４が光ファイバ３の軸方向と直交する側面４ａ、４ａ’と底面部４ｂを有するとともに、側面４ａ、４ａ’と底面部４ｂとが曲面で連結された断面Ｕ字形状である。図３（ｂ）では、溝部４の側面４ａ、４ａ’が曲面を成してなる。図３（ｃ）では、側面４ａ、４ａ’が光ファイバ３の軸方向に対して傾斜しているとともに、底面部３ｂが開口部３ｄの幅よりも小さい幅で形成されてなる断面台形形状あり、図３（ｄ）は、側面４ａ、４ａ’と底面部４ｂとが曲面で連結されている。
【００３１】
なお、この溝部４の形状は、図３（ａ）〜（ｄ）で示した形態に限定されるものではなく、また、図３（ａ）〜（ｄ）で示した種々の溝部を１つのクラッド部３ｂに対して組み合わせて形成しても構わない。また、図３（ｂ）〜（ｄ）に示すように、溝部４を開口部４ｃから底面部４ｂに向かって面積が小さくなる形状とすれば、コア部３ａと接するクラッド部３ｂの面積を大きくできるため、光ファイバ３の強度の低下を抑制することができる。
【００３２】
光減衰部５は、光減衰部５に入射される光を吸収することにより、クラッド部３ｂを伝送するクラッドモードを減衰させる機能を有し、溝部４内に光減衰材が充填されて構成されている。光減衰材には、実際に光ファイバ３を伝送させる光を吸収可能な物質であれば特に限定されるものではなく、光吸収材を含有させてなる樹脂、黒色系の樹脂等を用いることができる。具体的に、光吸収材を含有させてなる樹脂としては、たとえばＥｐｏｘｙＴｅｃｈｎｏｌｏｇｙ社製のＥｐｏｔｅｋ３２０を用いることができる。また、黒色系の樹脂としては、黒色ペーストを３．５〜１４質量％含有した樹脂（Ｅｐｏｔｅｋ３５３ＮＤ−Ｂｌａｃｋ：Ｅｐｏｘｙ  Ｔｅｃｈｎｏｌｏｇｙ社製）を用いることができる。また、光減衰部５は、クラッド部３ｂに設けられた溝部４内に設けられているため、クラッド部３ｂの除去によって弱まった光ファイバ３の強度を向上させることができる。なお、本発明の第１実施形態では、溝部４内に光減衰部５を設けているが、このような形態に限られることなく、たとえばクラッド部３ｂに孔部を形成し、該孔部に光減衰材を充填して構成されていてもよい。すなわち、本発明においては、クラッドモードの伝送経路の途中に光減衰部５を設ければクラッドモードを減衰させることが可能である。
【００３３】
そして、本発明のファイバスタブにおいては、光減衰部５がフェルール２の両端面２ａ、２ｂよりも内側、すなわち、光ファイバ３の軸方向におけるフェルール２の中央部側に形成されている。つまり、光減衰部５は、フェルール２の両端面から露出することなく、フェルール２の内部に収納されている。
【００３４】
このように、本発明のファイバスタブでは、光減衰部５をフェルール２の両端面２ａ、２ｂから露出することなくフェルール２の内部に収納されていることから、ファイバスタブ１およびプラグ１０の端面同士を機械的に接触させて、互いの光ファイバ同士を接続しても、プラグ１０の先端面と光減衰部５が直接的に接触しないため、光減衰部５の剥れや脱落を防止することができる。したがって、ファイバスタブ１では、長期間使用しても、光減衰部５によってクラッドモードを効率よく減衰させて除去することができる。さらに、レーザモジュール等の発光素子から出射された光をファイバスタブ１の光ファイバ３に入射させて光学的に接続する場合には、発光素子からの光が直接、光減衰部５に照射されないため、光の熱によって光減衰部５が劣化するのを抑制することができる。
【００３５】
ここで、光減衰部５をコア部３ａの周方向に沿って形成すれば、クラッドモードが光減衰部５と接する面積を大きく確保できるため、クラッドモードを効率よく減衰させることが可能となる。
【００３６】
また、図４に示すように、溝部４の一側面に、クラッド部３ｂを伝送して溝部４の他側面から出射されたクラッドモードを反射するための反射部６を設けることが好ましい。
【００３７】
具体的に、反射部６は、フェルール２の先端面２ａ側から光が入射される場合、溝部４の側面４ａからクラッドモードが出射されるため、もう一方の側面である側面４ａ’に設けられる。一方で、フェルール２の後端面２ｂ側から光が入射される場合、溝部４の側面４ａ’からクラッドモードが出射されるため、もう一方の側面である側面４ａに設けられる。
【００３８】
このように、溝部４の一側面に反射部６を設ければ、クラッドモードを反射部６で反射させて外部に放出する、もしくは再度、光減衰部５にクラッドモードを入射させることができるため、クラッドモードの除去効果をさらに高めることができる。
【００３９】
この反射部６は、光ファイバ３に入射する光の波長が１．３μｍもしくは１．５５μｍであれば、たとえばアルミニウム、銀、金により構成され、蒸着等で形成することができる。
【００４０】
次に、本発明の第１実施形態に係るファイバスタブ１の製造方法について図５を用いて説明する。
【００４１】
図５（ａ）は２つの光ファイバ３’が配置されたスタブファイバ製造装置の断面図である。スタブファイバ製造装置４０は、基台４１の上に固定側クランプ治具４２，可動側クランプ治具４３および可動側クランプ治具４３を微動させるための微動手段であるマイクロメータ４４が固定されている。固定側クランプ治具４２は上面にＶ溝４２ａを有する基部４２ｂと、Ｖ溝４２ａに収容した光ファイバ３’を抑えるための押え部４２ｃとから構成されている。可動側クランプ治具４３は固定側クランプ治具４２と同様、上面にＶ溝４３ａを有する基部４３ｂと、押え部４３ｃとから構成され、固定側クランプ治具４２に対面した位置に配置されている。
【００４２】
可動側クランプ治具４３にはマイロクメータ４４の先端部が接続され、マイクロメータ４４の操作により固定側クランプ治具４２と可動側クランプ治具４３の間隔を微小に変化させることができる。なお、微動装置はマイクロメータの他に計数制御モータ，圧電素子その他の装置によっても実現することができる。固定側クランプ治具４２と可動側クランプ治具４３の中間部には、加熱手段の一部を構成する一対の放電電極４５が配置されている。なお、加熱装置としては一対の放電電極の他にガスバーナノズルを用いても良い。
【００４３】
次に、光ファイバ３の溝部４の形成方法について説明する。まず、被覆部３ｆを除去した２つの光ファイバ３’の先端をそれぞれ研磨してコア部が突出する円錐状に加工する。次に、２つの光ファイバ３’を固定側クランプ治具３２と可動側クランプ治具３４の間に掛け渡してＶ溝４２ａ、４３ａにそれぞれ配置し、各クランプ治具の押え部４２ｃ、４３ｃにより固定する。一方の光ファイバ３’の被覆部３ｆ側の端部に光源（図示なし）、他方の光ファイバ３’の被覆部３ｆ側の端部に光量を測定するためのパワーメータ（図示なし）をそれぞれ接続する。その後、放電電極４５を結ぶ線上に光ファイバ３’の所定部分が位置付けられるように、かつ両放電電極４５より等距離になるように両放電電極４５の位置を調整する。
【００４４】
図５（ｂ）は２つの光ファイバ３’のコア部を融着接合させる工程を示す断面図である。このように加熱変形させるためには、放電電極４５を通電して発生する放電火花で光ファイバ３’のコア部を加熱軟化させるとともにマイクロメータ４４で規定量だけ可動クランプ治具４３を圧縮方向に移動させて、光ファイバ３’同士のコア部を接合し、クラッド部に溝部が形成された光ファイバ３を作製する。
【００４５】
以上の製造方法であれば、融着カプラの製造装置を用いることができるために、特殊に装置の開発及び購入が必要なくなり、安価に光ファイバ３を作製することができる。
【００４６】
最後に、光ファイバ３の溝部４に光減衰材を塗布し、乾燥させた後、光ファイバ３をフェル−ル２の貫通孔に挿入してエポキシ接着剤で固定することにより、ファイバスタブ１を作製することができる。
【００４７】
次に、本発明の一実施形態である光レセプタクルＸについて図１を用いて説明する。
【００４８】
光レセプタクルＸは、図１に示すように、ファイバスタブ１、スリーブ７、ホルダ８、スリーブケース９と、を備えてなり、光素子１１（発光素子）から出射された光をプラグ１０の光ファイバに伝送するためのコネクタ機能を有するものである。
【００４９】
スリーブ７は、一端側に挿入されたファイバスタブ１と他端側から挿入されるプラグ１０とを調芯する機能を有し、ファイバスタブ１およびプラグ１０が有する光ファイバ同士の光の接続損失が低減させるものであり、たとえば円筒体で構成されている。スリーブ７は、スリットを有する割スリーブを用いることが望ましく、少なくともスリーブ７の内径は挿入されるプラグ１０に対して数ミクロン小さい径に形成されており、スリットを有することにより、スリーブ７内に挿入されるプラグ１０に対してバネによる把持力が作用するからである。なお、スリーブ７の材質は、たとえば燐青銅、ベリリウム銅、黄銅、ステンレス等の金属、エポキシ樹脂、液晶ポリマー等のプラスチックス、またはアルミナ、ジルコニア等のセラミックスを使用することができる。
【００５０】
ホルダ８は、ファイバスタブ１の一端部を保持するための部材であり、ファイバスタブ１を接着もしくは圧入により固定可能な孔部を有してなる。また、ホルダ８は、図１に示すように、光モジュールの構成部品である光素子１１およびレンズ１２が設けられた筺体１３が溶接により固定されるため、たとえばステンレス、銅、鉄、ニッケル等の金属で構成されている。
【００５１】
スリーブケース９は、スリーブ７を保護するための部材であり、スリーブ７の外周面と離間した状態でホルダ８に圧入や接着で固定されており、ステンレス、銅、鉄、ニッケルなどの材料で構成されている。
【００５２】
また、光レセプタクルＸは、たとえばファイバスタブ１をホルダ８の孔部に圧入した後、ファイバスタブ１の先端部からスリーブ７を挿入し、最後にスリーブケース９をホルダ８に圧入して製造される。
【００５３】
次に、本発明の一実施形態である光モジュールＹについて説明する。光モジュールＹは、光レセプタクルＸと、光素子１１と、レンズ１２と、筺体１３、とを備えてなる。
【００５４】
光素子１１は、光を発光する発光素子、もしくは光を受光する受光素子である。この光素子１１が発光素子の場合、発光素子から出射された光は、後述するレンズで集光され、光レセプタクルＸが備えるファイバスタブ１の後端側の光ファイバ３の端部に入射され、プラグ１０に伝送される。一方で、光素子１１が受光素子の場合、プラグ１０から入射
された光は、ファイバスタブ１の光ファイバ３を伝送し、受光素子側の光ファイバ３の端部から出射された後に、レンズ１２によって集光されて受光素子に入射される。
【００５５】
レンズ１２は、光ファイバ３から出射された光、もしくは発光素子から出射された光を集光させて、受光素子、もしくは光ファイバ３に効率よく光を入射する機能を有する。
【００５６】
筺体１３は、光素子１１およびレンズ１２を保持するとともに、光レセプタクルＸと接合されるものであり、光レセプタクルＸのホルダ８と溶接によって接合されることから、たとえばステンレス、銅、鉄、ニッケルなどの材料で構成されている。
【００５７】
この光モジュールＹは、筒状の筺体１３の一端側の開口部に光素子１１を嵌めて接着固定し、集光距離を考慮し、光素子１１と離間させて筺体１３の一部にレンズ１２を接着固定した後、筺体１３の他端面を、たとえばＹＡＧ溶接によってホルダ８と接合することによって作製することができる。
【図面の簡単な説明】
【００５８】
【図１】本発明の光モジュール一実施形態を示す断面図である。
【図２】本発明のファイバスタブの一実施形態を示す断面図である。
【図３】本発明のファイバスタブの溝部の形状を示す断面図である。
【図４】本発明のファイバスタブの他の実施形態を示す断面図である。
【図５】本発明のファイバスタブの製造方法説明する断面図である。
【図６】従来の光モジュールを示す断面図である。
【図７】従来の光モジュールを示す断面図である。
【符号の説明】
【００５９】
１、２３：ファイバスタブ
１ａ：先端部
１ｂ：後端部
２、２１：フェルール
３、２２：光ファイバ
３ａ、２２ａ：コア部
３ｂ、２２ｂ：クラッド部
４：溝部
４ａ、４ａ’：側面部
４ｂ：底面部
４ｃ：開口部
５：光減衰部
６：反射部
７、２５：スリーブ
８、２４：ホルダ
９、２６：スリーブケース
１０、５０：プラグ
１１、３１：光素子
１２、３２：レンズ
１３、３３：筺体
Ｘ：光レセプタクル
Ｙ：光モジュール
４０：スタブファイバ製造装置
４１：基台
４２：固定側クランプ治具
４２ａ：Ｖ溝
４２ｂ：基部
４２ｃ：押え部
４３：可動側クランプ治具
４３ａ：Ｖ溝
４３ｂ：基部
４３ｃ：押え部
４４：マイクロメータ
４５:放電電極
【図１】
2008033015.tif 000003
【図２】
2008033015.tif 000004
【図３】
2008033015.tif 000005
【図４】
2008033015.tif 000006
【図５】
2008033015.tif 000007
【図６】
2008033015.tif 000008
【図７】
2008033015.tif 000009